(57)【特許請求の範囲】
【請求項１】
基地局（４０）によってサービスされる同一サービスエリアにおいて高速アップリンクデータ転送速度をサポートすると共にランダムアクセスカバー範囲を保証する方法（図１７）であって、
前記基地局からのサービスへのアクセス要求と前記基地局との有効接続のための送信とを含む前記基地局へのアップリンク送信のために複数の移動端末により共有されるリソースの共有セットを識別するステップと、
周波数バンドにおける第１の繰り返し期間と該第１の繰り返し期間と異なる第２の繰り返し期間とを定義するステップ（Ｓ２）と、
前記第１の繰り返し期間に、多量の無線リソースの使用を許容する１以上の有効接続に対してアップリンク送信許可をスケジュールするステップ（Ｓ３）と、
前記第２の繰り返し期間に、前記多量の無線リソースより少ない少量の無線リソースの使用を許容する１以上の有効接続に対してアップリンク送信許可をスケジュールするステップ（Ｓ４）と、
前記第２の繰り返し期間にのみ発生するように前記基地局に対する少なくともいくつかのランダムアクセス要求を制御するステップ（Ｓ５）と、
を含むことを特徴とする方法。
【請求項２】
前記基地局は、前記第２の繰り返し期間に前記第１の繰り返し期間より広いカバー範囲を提供する
ことを特徴とする請求項１に記載の方法。
【請求項３】
前記基地局のカバー範囲に関連するアップリンク・ライズ・オーバ・サーマル（ＲｏＴ）目標値又はアップリンク負荷目標値を提供するステップと、
前記ＲｏＴ目標値又はアップリンク負荷目標値の変化をアップリンク送信時間間隔又は有効な移動無線端末に関連するハイブリッドＡＲＱ（ＨＡＲＱ）プロセスに調整するステップと、
を更に含み、
前記第２の繰り返し期間は、前記第１の繰り返し期間と比較して、前記基地局のカバー範囲に関連する低いアップリンク・ライズ・オーバ・サーマル（ＲｏＴ）目標値又は低いアップリンク負荷目標値に対応する
ことを特徴とする請求項１又は２に記載の方法。
【請求項４】
前記基地局へのランダムアクセス要求を承認するために、前記基地局によって使用される取得指標チャネル（ＡＩＣＨ）に前記ハイブリッドＡＲＱ（ＨＡＲＱ）プロセスを調整するステップを更に含む
ことを特徴とする請求項３に記載の方法。
【請求項５】
前記基地局へのランダムアクセス要求は、複数のＲＡＣＨサブチャネルを含むランダムアクセスチャネル（ＲＡＣＨ）を介して実行され、
前記ＲＡＣＨサブチャネルは、アップリンクＲＡＣＨアクセススロットの全体セットのサブセットを定義し、
前記方法は、前記複数のＲＡＣＨサブチャネルのうちの特定のＲＡＣＨサブチャネルを前記第２の繰り返し期間に調整するステップを更に含む
ことを特徴とする請求項１乃至４の何れか一項に記載の方法。
【請求項６】
前記基地局に関連する１以上の負荷制御ファクタを決定するステップと、
前記１以上の負荷制御ファクタに基づいて、有効な移動端末のアップリンク送信を前記第１の繰り返し期間にスケジュールするか前記第２の繰り返し期間にスケジュールするかを決定するステップと、
を更に含み、
前記１以上の負荷制御ファクタは、アップリンク送信のスケジュールが必要な移動端末の数、バッファ状態、アップリンク送信電力の余裕、移動無線端末の種類、カテゴリ又は能力、移動無線端末に関連する契約、移動無線端末により要求されるサービス、及び現在の無線状態、のうちの１以上を含む
ことを特徴とする請求項１乃至５の何れか一項に記載の方法。
【請求項７】
前記第１の繰り返し期間と前記第２の繰り返し期間との少なくとも一方を調整するステップを更に含む
ことを特徴とする請求項１乃至６の何れか一項に記載の方法。
【請求項８】
基地局（４０）によってサービスされる同一サービスエリアにおいて高速アップリンクデータ転送速度をサポートすると共にランダムアクセスカバー範囲を保証する装置であって、該装置は、スケジューラ及びプログラム可能論理回路（４２，４４および／または４６）を含み、
前記スケジューラ及びプログラム可能論理回路は、
前記基地局からのサービスへのアクセス要求と前記基地局との有効接続のための送信とを含む前記基地局へのアップリンク送信のために複数の移動端末により共有されるリソースの共有セットを識別し、
周波数バンドにおける第１の繰り返し期間と該第１の繰り返し期間と異なる第２の繰り返し期間とを定義し、  前記第１の繰り返し期間に、多量の無線リソースの使用を許容する１以上の有効接続に対してアップリンク送信を許可し、
前記第２の繰り返し期間に、前記多量の無線リソースより少ない少量の無線リソースの使用を許容する１以上の有効接続に対してアップリンク送信を許可し、
前記第２の繰り返し期間にのみ発生するように前記基地局に対する少なくともいくつかのランダムアクセス要求を制御する
よう構成されていることを特徴とする装置。
【請求項９】
前記スケジューラ及びプログラム可能論理回路は、
前記基地局のカバー範囲に関連するアップリンク・ライズ・オーバ・サーマル（ＲｏＴ）目標値又はアップリンク負荷目標値を提供し、
前記ＲｏＴ目標値又はアップリンク負荷目標値の変化をアップリンク送信時間間隔又は有効な移動無線端末に関連するハイブリッドＡＲＱ（ＨＡＲＱ）プロセスに調整する
よう構成されており、
前記第２の繰り返し期間は、前記第１の繰り返し期間と比較して、前記基地局のカバー範囲に関連する低いアップリンク・ライズ・オーバ・サーマル（ＲｏＴ）目標値又は低いアップリンク負荷目標値に対応する
ことを特徴とする請求項８に記載の装置。
【請求項１０】
前記スケジューラ及びプログラム可能論理回路は、
前記基地局へのランダムアクセス要求を承認するために、前記基地局によって使用される取得指標チャネル（ＡＩＣＨ）に前記ハイブリッドＡＲＱ（ＨＡＲＱ）プロセスを調整する
よう構成されていることを特徴とする請求項９に記載の装置。
【請求項１１】
前記基地局へのランダムアクセス要求は、複数のＲＡＣＨサブチャネルを含むランダムアクセスチャネル（ＲＡＣＨ）を介して実行され、
前記ＲＡＣＨサブチャネルは、アップリンクＲＡＣＨアクセススロットの全体セットのサブセットを定義し、
前記スケジューラ及びプログラム可能論理回路は、前記複数のＲＡＣＨサブチャネルのうちの特定のＲＡＣＨサブチャネルを前記第２の繰り返し期間に調整する
よう構成されていることを特徴とする請求項８乃至１０の何れか一項に記載の装置。
【請求項１２】
前記スケジューラ及びプログラム可能論理回路は、
前記基地局に関連する１以上の負荷制御ファクタを決定し、
前記１以上の負荷制御ファクタに基づいて、有効な移動端末のアップリンク送信を前記第１の繰り返し期間にスケジュールするか前記第２の繰り返し期間にスケジュールするかを決定する
よう構成されており、
前記１以上の負荷制御ファクタは、アップリンク送信のスケジュールが必要な移動端末の数、バッファ状態、アップリンク送信電力の余裕、移動無線端末の種類、カテゴリ又は能力、移動無線端末に関連する契約、移動無線端末により要求されるサービス、及び現在の無線状態、のうちの１以上を含む
ことを特徴とする請求項８乃至１１の何れか一項に記載の装置。
【請求項１３】
前記基地局へのランダムアクセス要求は、複数のＲＡＣＨサブチャネルを含むランダムアクセスチャネル（ＲＡＣＨ）を介して実行され、
前記スケジューラ及びプログラム可能論理回路は、移動無線端末の前記基地局へのランダムアクセスが許可される前記第２の繰り返し期間のＲＡＣＨサブチャネルにのみ広告されるように、基地局同報情報を再構成するか又は再構成するように無線ネットワーク制御装置に通知する
よう構成されていることを特徴とする請求項８乃至１２の何れか一項に記載の装置。
【請求項１４】
前記基地局内に実装されることを特徴とする請求項８乃至１３の何れか一項に記載の装置。
【請求項１５】
請求項１４に記載の前記基地局と共に使用するために構成される移動無線端末（２２，３６）であって、該移動無線端末（２２，３６）は、前記基地局からの制御に従って、前記第２の繰り返し期間にのみ発生するように前記基地局に対する少なくともいくつかのランダムアクセス要求を送信する
ことを特徴とする移動無線端末（２２，３６）。
【発明の詳細な説明】
【技術分野】
【０００１】
本発明は、移動無線通信に関し、特に、移動無線通信システム内の移動無線端末が関係するアップリンク通信に関する。
【背景技術】
【０００２】
ユニバーサル移動通信システム（ＵＭＴＳ）は、欧州のシステムである汎ヨーロッパデジタル移動通信システム（ＧＳＭ）及び汎用パケット無線サービス（ＧＰＲＳ）に基づく広帯域符号分割多元接続（ＷＣＤＭＡ）において動作する第３世代（３Ｇ）非同期移動通信システムである。３ＧＰＰリリース９９において、無線ネットワーク制御装置（ＲＮＣ）はリソース及びユーザ移動性を制御する。リソース制御は、許可制御、輻輳制御及び接続のデータ転送速度の変更に対応するチャネル交換を含む。専用無線接続は、ＤＰＣＣＨ（専用物理制御チャネル）及びＤＰＤＣＨ（専用物理データチャネル）として実現される専用チャネルＤＣＨを介して実行される。
【０００３】
ＵＭＴＳのＬＴＥ（ロング・ターム・エボリューション）は、ＵＭＴＳを標準化した第３世代パートナーシッププロジェクト（３ＧＰＰ）により検討中である。ＬＴＥの作業の目的は、高速データ転送速度及び低遅延のパケット最適化無線アクセス技術に向けた３ＧＰＰ無線アクセス技術の発展のためのフレームワークを開発することである。特に、ＬＴＥはパケット交換（ＰＳ）ドメインから提供されるサービスをサポートすることを目的とする。３ＧＰＰ  ＬＴＥ技術の重要な目標は、約１００Ｍｂｐｓ以上の高速パケット通信を可能にすることである。
【０００４】
移動無線端末は多くの場合にユーザ機器（ＵＥ）と呼ばれ、アイドル状態の移動無線端末は、サービスエリア内の「候補」基地局の情報を得るために範囲内の基地局によるシステム情報ブロードキャストを監視する。移動端末がＵＭＴＳ無線アクセスネットワークからサービスにアクセスする必要がある場合、移動端末はランダムアクセスチャネル（ＲＡＣＨ）を介して通常は最も好適な無線状態を有する基地局である適切な基地局を経由して要求を送出する。通常はアップリンク伝播状態が概略的にしか判らないため、基地局がメッセージに肯定応答するか又は不成功のアクセス試行が所定の数に到達するまで、移動端末はＲＡＣＨを介する送信電力を徐々に増加する。しかし、移動端末がアクセスを許可されると仮定する場合、利用可能な無線リソースが存在する場合に最適な基地局を介する無線通信接続又はリンクが移動端末に向けて開始される。従って、基地局によるアップリンクカバー範囲はランダムアクセスの成功ために必要である。
【０００５】
アップリンクカバー範囲と無線インタフェースを介するアップリンク使用可能ピーク伝送速度との間にはトレードオフが存在する。このトレードオフは、通常の専用チャネルより高いアップリンクデータ転送速度をサポートする拡張アップリンク通信を提供するシステムにおいて更に示される。セルのカバー範囲内のアップリンク無線リソースは、セルが許容できるライズ・オーバ・サーマル（ＲｏＴ）により制限される。ＲｏＴは、基地局における総受信電力をセル内の熱雑音で割ったものであり、セルのカバー範囲は最大ＲｏＴにより制限される。最大ＲｏＴは、カバー範囲要件及び／又はアップリンク電力制御安定性要件のいずれかに基づいて判定される。１つのＵＥのみがセル内でアップリンク接続を介して送信している場合、アップリンク干渉は当該ＵＥにより生成された電力の影響を多大に受ける可能性が高いため、電力制御安定性及びカバー範囲の双方は重要な問題ではない。このような状況において、高い信号対干渉比Ｅｃ／Ｉｏを許容するために高い最大ＲｏＴが使用されてもよく、それにより、高いアップリンクビットレートが可能になる。しかし、高いアップリンクビットレートを使用するためにはＵＥ接続は高いＥｃ／Ｉｏを提供する必要があり、これは高ＲｏＴを意味する。
【０００６】
しかし、高ＲｏＴで動作するセルのカバー範囲は制限される。ＲｏＴが高い場合、移動端末がセルのサービスエリアの一部からランダムアクセスを正常に完了することが困難又は不可能になる場合がある。ＲＡＣＨプリアンブルがサービスエリアの特定の部分から送出される場合、それはこのような高ＲｏＴで検出されない場合がある。更に、アクセスを要求する移動端末が電力を徐々に増加することにより、著しい干渉がセル内に発生する場合がある。それにより信号対干渉比Ｅｃ／Ｉｏが低下し、移動端末のアップリンクデータ転送速度に悪影響を及ぼす。規制が存在しない場合、移動端末はより高いアップリンクデータ転送速度を更に要求し、高速アップリンクデータ転送速度で送信できないのにそれを許可される場合があり、あるいは高速アップリンクデータ転送速度での送信を許可されることにより利益を得るだろう。
【０００７】
ＲＡＣＨプリアンブル閾値を低下すると、熱雑音のみに起因するプリアンブルの誤検出が多発するため、これも実用的ではない。多くの場合、ＲＡＣＨプリアンブル閾値が低いと、過度に低い電力レベルでのＲＡＣＨ送信を認めることにもなり、これは正常に復号化されないため再送信される必要がある。更に、受信されたプリアンブルとＲＡＣＨ取得指示が期待される時間との間の時間が短いことは、プリアンブルが充分な電力レベルで送出されたかを判定するまでの処理時間が非常に制限されることを意味する。
【発明の概要】
【０００８】
ランダムアクセスカバー範囲を保証するのと同時に、基地局によりサービスを提供される同一サービスエリアにおける高速アップリンクデータ転送速度をサポートする。無線リソースの集合は、基地局からサービスへのアクセス及び基地局との有効接続のための送信に対する要求を含む基地局へのアップリンク送信のために複数の移動端末により共有される。第１の繰り返し期間及び第２の異なる繰り返し期間が定義される。アップリンク送信許可は、多くの無線リソースの使用を許可する有効接続に対して第１の繰り返し期間にスケジュールされる。アップリンク送信許可は、少ない無線リソースの使用を許可する有効接続に対して第２の繰り返し期間に更にスケジュールされる。基地局に対する少なくともいくつかのランダムアクセス要求は、第２の繰り返し期間にのみ発生するように制御される。
【０００９】
基地局は、第１の繰り返し期間より広いカバー範囲を第２の繰り返し期間に提供する。広いカバー範囲に加えて、基地局は、第２の繰り返し期間より速いデータ転送速度での１つ以上の有効接続に対するアップリンク送信許可を第１の繰り返し期間に更にスケジュールできる。
【００１０】
１つの実現例において、基地局に対する全てのランダムアクセス要求は第２の繰り返し期間にのみ発生するように制御される。例えば基地局は、基地局に対する移動無線端末のランダムアクセスが許可される場合、第２の繰り返し期間のアップリンク送信時間間隔（ＴＴＩ）のみを通知してもよい。別の実現例において、基地局に対する他のランダムアクセス要求は第１の繰り返し期間に発生してもよい。
【００１１】
基地局のカバー範囲に関連するアップリンク・ライズ・オーバ・サーマル（ＲｏＴ）目標値又はアップリンク負荷目標値が提供されてもよい。第２の繰り返し期間は、第１の繰り返し期間より低い基地局のカバー範囲に関連するアップリンク・ライズ・オーバ・サーマル（ＲｏＴ）目標値又はアップリンク負荷目標値に対応する。ＲｏＴ目標値又はアップリンク負荷目標値の変化は、アップリンク送信時間間隔、有効な移動無線端末に関連するハイブリッドＡＲＱ（ＨＡＲＱ）プロセス及び／又は基地局に対するランダムアクセス要求に肯定応答するために基地局により使用される取得指示チャネル（ＡＩＣＨ）により調整されてもよい。ＡＩＣＨにより調整される場合、ＡＩＣＨは基地局に対するクロック基準信号又はシステムフレーム番号基準により調整される。
【００１２】
一実施形態において、基地局に対するランダムアクセス要求は、複数のＲＡＣＨサブチャネルを含むランダムアクセスチャネル（ＲＡＣＨ）を介して行われる。ＲＡＣＨサブチャネルは、アップリンクＲＡＣＨアクセススロットの総集合のサブセットを定義する。ＲＡＣＨサブチャネルのうち特定のＲＡＣＨサブチャネルは第２の繰り返し期間により調整される。
【００１３】
基地局に関連する１つ以上の負荷制御要因が判定されてもよい。１つ以上の負荷制御要因に基づいて、有効な移動端末のアップリンク送信を第１の繰り返し期間にスケジュールするか又は第２の繰り返し期間にスケジュールするかが判定される。１つ以上の負荷制御要因は、アップリンク送信に対してスケジュールされる必要のある移動端末の数、バッファ状態、アップリンク送信電力の余裕、移動無線端末の種類、カテゴリ又は能力、移動無線端末に関連する契約、移動無線端末により要求されたサービス、並びに現在の無線状態のうちの１つ以上を含む。
【００１４】
要望に応じて、第１の繰り返し期間又は第２の繰り返し期間の一方又は双方が調整されてもよい。
【００１５】
上述した機能及び手順は基地局において実現されてもよい。そのような基地局と共に使用するために構成された移動無線端末が更に提供される。
【００１６】
本技術を表す別の方法は、基地局が、異なる送信タイムスロットに対する異なるアップリンク負荷目標を考慮する時分割多重（ＴＤＭ）使用アップリンクスケジューリング方式を実現することである。アップリンク負荷目標を有するアップリンクタイムスロットとランダムアクセスアップリンクスロットとを関連付けるアップリンクタイムスロットの調整とランダムアクセスアップリンクスロットの調整との間の関係が定義される。上述のように、要望に応じて、移動端末によるランダムアクセスを許可した場合、基地局は低いアップリンク負荷目標に対応するランダムアクセスアップリンクスロットのみを通知してもよい。許可された移動端末は、特定の移動端末アクセスサービスクラス、端末の種類、契約、サービス等により更に制限されてもよい。要望に応じて、アクセス中の移動端末が最終的に成功する確率に依存して、全ての期間をランダムアクセスに使用できる時間が存在してもよい。
【図面の簡単な説明】
【００１７】
【図１】ＵＴＲＡＮ移動無線通信システムの一例を示すブロック図である。
【図２】ＬＴＥ移動無線通信システムの一例を示すブロック図である。
【図３】ＲＡＣＨアクセススロットの例を示す図である。
【図４】ＲＡＣＨ送信構造の一例を示す図である。
【図５】ＵＥから見た場合のＲＡＣＨとＡＩＣＨとの間のタイミングの関係の一例を示す図である。
【図６】ダウンリンクアクセススロット＃０の時間に対する第１のＲＡＣＨプリアンブル送信に利用可能なプリアンブルの一例を示す図である。
【図７】Ｍ＝８の場合の並行ＨＡＲＱプロセッサを示す図である。
【図８】リソースを共有する２人のユーザが時間的に分離されるＴＤＭ方式の一例を示す図である。
【図９】２つの異なるレベルのＲｏＴに対するアップリンクカバー範囲の一例を示す図である。
【図１０】ＨＡＲＱプロセスにより調整された異なるＲｏＴの一例を示す図である。
【図１１】ＨＡＲＱプロセス番号を調整した一例を示す図である。
【図１２】ＨＡＲＱプロセス番号を調整しない一例を示す図である。
【図１３】ＡＩＣＨ送信タイミングが０の場合のＨＡＲＱプロセス番号とサブチャネル毎に分離されたＲＡＣＨアップリンクアクセススロットとの間の関係の一例を示す図である。
【図１４】図１３の例を使用して、サブチャネル＃０に対する良好なカバー範囲に対応する１つのＨＡＲＱプロセス内に低ＲｏＴが存在する状況を示す図である。
【図１５】図１３の例を使用して、サブチャネル＃０〜２に対する良好なカバー範囲に対応する２つのＨＡＲＱプロセス内に低ＲｏＴが存在する状況を示す図である。
【図１６】図１３の例を使用して、サブチャネル＃０〜５に対する良好なカバー範囲に対応する４つのＨＡＲＱプロセス内に低ＲｏＴが存在する状況を示す図である。
【図１７】手順の限定しない一例を示すフローチャートである。
【図１８】基地局の一例を示す機能ブロック図である。
【発明を実施するための形態】
【００１８】
以下の説明において、限定するためではなく説明する目的で、説明される技術を理解させるために特定のノード、機能エンティティ、技術、プロトコル、規格等の特定の詳細を記載する。他の例において、不必要な詳細により説明を不明瞭にしないために、周知の方法、装置、技術等の詳細な説明を省略する。個々の機能ブロックは図示される。それらのブロックの機能は個々のハードウェア回路を使用して、適切にプログラムされたマイクロプロセッサ又は汎用コンピュータと関連してソフトウェアプログラム及びデータを使用して、特定用途向け集積回路網（ＡＳＩＣ）を使用して、プログラマブル論理アレイを使用して、並びに／あるいは１つ以上のデジタル信号プロセッサ（ＤＰＳ）を使用して実現されてもよいことが当業者には理解されるだろう。
【００１９】
他の実施形態が以下に開示される特定の詳細を用いずに実施されてもよいことは当業者には明らかとなるだろう。説明するための限定しない例を提供するために、技術は３ＧＰＰ  ＵＭＴＳシステムに関連して説明される。しかし、当技術は何らかの現在のセルラ通信システムにおいて使用されてもよい。
【００２０】
図１は、第３世代のＷＣＤＭＡベースのセルラ無線通信システム１０の限定しない一例を示す。ユーザ機器（ＵＥ）２２は、ユーザ／加入者がオペレータのコアネットワーク１２により提供されるサービスにアクセスできる移動無線端末である。それらのネットワークは、公衆交換電話網（ＰＳＴＮ）及びインターネット（不図示）等の他のネットワークに結合される。ＵＭＴＳ地上無線アクセスネットワーク（ＵＴＲＡＮ）１４は、移動ＵＥとの無線接続の確立及び制御を担当する。無線ネットワークサブシステム（ＲＮＳ）１６は、ＵＴＲＡＮ１４内の多くの基地局（ＢＳ）２０を制御する。各基地局２０は、１つ以上のセルにおける無線通信を調整する。セルは地理的領域を範囲に含み、自身の基地局によるセル内での一意のアイデンティティブロードキャストにより識別される。同一の地理的領域を範囲に含む２つ以上のセルが存在してもよく、その場合、２つの基地局セルは同じ場所に位置してもよい。各無線ネットワーク制御装置（ＲＮＣ）１８は、セルの集合内の無線リソース及び無線接続性を制御する。
【００２１】
図１は、ＵＴＲＡＮ１４内の異なるノードを接続するインタフェースを示す。Ｉｕインタフェースは、コアネットワーク１２とＵＴＲＡＮ１４との間に定義される。Ｉｕｒインタフェースは、ＲＮＣ１８間の通信に対して定義される。Ｉｕｂインタフェースは、ＲＮＣ１８とその基地局２０との間の通信に対して定義される。ユーザデータは、それらのインタフェースを介してトランスポートベアラで転送される。使用される転送ネットワークに依存して、これらのトランスポートベアラはＡＡＬ２接続（ＡＴＭを使用する転送ネットワークの場合）又はＵＤＰ接続（ＩＰを使用する転送ネットワークの場合）にマッピングされてもよい。
【００２２】
図２は、ＬＴＥ移動通信システム３０を示す。無線アクセスネットワーク（ＲＡＮ）３２は、例えば１つ以上のコアネットワークノード、並びに公衆交換電話網（ＰＳＴＮ）及びインターネット等の１つ以上の外部ネットワークである１つ以上の他のネットワーク３８に結合される。ＲＡＮ３２は、例えばハンドオーバ及び他の協調機能のために互いに通信する基地局３４を含む。基地局は、無線／エアインタフェースを介してユーザ機器（ＵＥ）３６とも呼ばれる移動無線端末と通信する。図１に示すＵＭＴＳシステム１０内のＲＮＣにおいて実行される動作の少なくとも一部はＬＴＥシステム３０内の基地局において実行される。
【００２３】
以下の詳細な説明において、３ＧＰＰリリース９９のＵＴＲＡＮに関連する限定しない例を使用するが、これは例示に過ぎない。ＵＴＲＡＮにおけるランダムアクセスはスロットＡＬＯＨＡに基づく。アイドル状態のＵＥは、サービスエリア内の候補基地局の情報を得るために範囲内の基地局によるシステム情報ブロードキャストを監視する。ＵＥがサービスにアクセスする必要がある場合、ＵＥはランダムアクセスチャネル（ＲＡＣＨ）を介して通常は最も好適な無線状態を有する基地局である最適な基地局に要求を送出する。アップリンク伝搬が概略的にしか判らないため、ＵＥは、取得指示チャネル（ＡＩＣＨ）を介して肯定応答されるか又は試行が最大数に到達するまで既知のＲＡＣＨプリアンブルの送信電力を徐々に増加する。ＡＩＣＨを介して肯定応答された場合、ＵＥはＲＡＣＨメッセージを適宜送出する。許可制御の後、利用可能なリソースが存在する場合、最適な基地局を介する接続が確立される。アップリンクカバー範囲はランダムアクセスを正常に完了するために必要である。
【００２４】
ＵＥは、アクセススロットと示す明確に定義された多くの時間間隔の開始時にランダムアクセス送信を開始できる。図３は、ＲＡＣＨアクセススロットの例を示す。ランダムアクセス送信に利用可能なアクセススロットに関する情報は上位層により提供される。
【００２５】
図４は、ＷＣＤＭＡの場合のＲＡＣＨ送信構造の一例を示す。この限定しない例におけるランダムアクセス送信は、長さ４０９６チップの１つ又は複数のプリアンブル及び長さ１０ｍｓ又は２０ｍｓのメッセージを含む。各プリアンブルは長さ４０９６チップであり、長さ１６チップの署名の２５６回の繰り返しを含む。最大で１６個の利用可能な署名が存在する。
【００２６】
ＲＡＣＨ手順の一例の概要を以下に示す。物理ランダムアクセス手順が開始される前に、物理層１は以下の情報、すなわちプリアンブルスクランブリングコード、１０又は２０ｍｓのいずれかであるメッセージの時間長、ＡＩＣＨ送信タイミングパラメータ［０又は１］、各アクセスサービスクラス（ＡＳＣ）に対する利用可能な署名の集合及び利用可能なＲＡＣＨサブチャネルの集合、電力ランピング係数である電力ランプステップ［０より大きい整数］、プリアンブル再送信最大回数パラメータ［０より大きい整数］、初期プリアンブル電力Preamble_Initial_Power、最後に送信されたプリアンブルの電力とランダムアクセスメッセージの制御部分の電力との間の電力オフセットＰp-m＝Ｐmessege-control−Ｐpreamble（単位：ｄＢ）、並びにトランスポートフォーマットパラメータの集合を上位層（例えば、ＲＲＣ）から受信する。
【００２７】
物理ランダムアクセス手順は、以下のステップ（上位層への信号伝送を含まない）を使用して実行されてもよい。１：利用可能なアップリンクアクセススロットを導出する。２：所定のＡＳＣ内の利用可能な署名の集合から署名をランダムに選択する。３：プリアンブル再送信カウンタをプリアンブル再送信最大回数に設定する。４：限られたＵＥ電力を考慮して初期プリアンブル電力を計算する。５：選択したアップリンクアクセススロット、署名及びプリアンブル送信電力を使用してプリアンブルを送信する。６：選択した署名に対応する正又は負の取得指示が選択したアップリンクアクセススロットに対応するダウンリンクアクセススロットにおいて検出されない場合（ＡＩ≠＋１、−１）、６−１：所定のＡＳＣ内の利用可能なＲＡＣＨサブチャネルの集合における次の利用可能なアクセススロットを選択し、６−２：所定のＡＳＣ内の利用可能な署名の集合から新しい署名をランダムに選択し、６−３：プリアンブルの電力をΔＰ０＝電力ランプステップ［ｄＢ］増加し、６−４：プリアンブル再送信カウンタを１減少し、６−５：プリアンブル再送信カウンタ＞０の場合はステップ５以降を繰り返し、プリアンブル再送信カウンタ＝０の場合は物理ランダムアクセス手順を終了し、６−６：負の取得指示が検出された場合、物理ランダムアクセス手順を終了する。７：ＡＩＣＨ送信タイミングパラメータに依存して、最後に送信されたプリアンブルのアップリンクアクセススロットから３つ又は４つ後のアップリンクアクセススロットでランダムアクセスメッセージを送信する。制御部分の送信電力は、最後に送信されたプリアンブルの電力よりＰp-m［ｄＢ］大きい必要がある。
【００２８】
基地局におけるプリアンブル検出機構は、受信されたプリアンブルの相関又は事前に構成されたプリアンブル閾値に対する受信エネルギーに基づく。閾値が低過ぎると、熱雑音からプリアンブルを誤ってトリガする場合があり、閾値が高過ぎると、非常に高い電力レベルでプリアンブルをトリガするか又は全てのプリアンブルを喪失する場合がある。閾値は、最悪のアップリンク負荷状況を考慮して設定されてもよい。
【００２９】
ＲＡＣＨサブチャネルは、アップリンクアクセススロットの総集合のサブセットを定義する。限定しない例において、全部で１２個のＲＡＣＨサブチャネルが存在し、基本的に各々がアップリンクスロットの１／１２を使用する。表１は、異なるサブチャネルに関連付けられるアクセススロットを示す。許可されるサブチャネルの集合は、例えばＵＥのアクセスサービスクラスに依存して上位層から信号伝送されてもよい。
【００３０】
【表１】
0005603944.tif 000002
【００３１】
ダウンリンクＡＩＣＨはダウンリンクアクセススロットに分割され、各アクセススロットは長さ５１２０チップである。ＡＩＣＨアクセススロット＃０は、（ＳＦＮモジュロ２）＝０であるＰ−ＣＣＰＣＨフレームと同時に開始する。同様に、アップリンクＰＲＡＣＨはアップリンクアクセススロットに分割され、各アクセススロットは長さ５１２０チップである。アップリンクアクセススロット番号ｎは、ダウンリンクアクセススロット番号ｎ（ｎ＝０、１、．．．、１４）の受信のτp-aチップ前にＵＥから送信される。本例において、ダウンリンクの取得指示の伝送はダウンリンクアクセススロットの始点においてのみ開始してもよい。同様に、本例において、アップリンクのＲＡＣＨプリアンブル及びＲＡＣＨメッセージ部分の送信はアップリンクアクセススロットの始点においてのみ開始してもよい。図５は、ＵＥから見た場合のＲＡＣＨとＡＩＣＨとの間のタイミングの関係の一例を示す。
【００３２】
プリアンブル間の距離τp-pは、プリアンブル間の最短距離τp-p,min以上である必要があり、すなわちτp-p≧τp-p,minである必要がある。τp-p,minに加えて、プリアンブルとＡＩとの間の距離τp-a及びプリアンブルとメッセージとの間の距離τp-mが以下のように定義される：
ＡＩＣＨ送信タイミングが０に設定される場合、
τp-p,min＝１５３６０チップ（３アクセススロット）
τp-a＝７６８０チップ（１．５アクセススロット）
τp-m＝１５３６０チップ（３アクセススロット）
ＡＩＣＨ送信タイミングが１に設定される場合、
τp-p,min＝２０４８０チップ（４アクセススロット）
τp-a＝１２８００チップ（２アクセススロット）
τp-m＝２０４８０チップ（４アクセススロット）
ＡＩＣＨ送信タイミングパラメータは上位層により信号伝送されてもよい。
【００３３】
図６は、ダウンリンクアクセススロット＃０の時間に対する第１のＲＡＣＨプリアンブル送信に利用可能なプリアンブルの一例を示す。図は、時間に対する第１のＲＡＣＨプリアンブル送信に利用可能なサブチャネル毎のＲＡＣＨアクセススロットを示す。一次共通制御物理チャネル（Ｐ−ＣＣＰＣＨ）のシステムフレーム番号（ＳＦＮ）モジュール８＝０がｘ軸上の０として表される基地局の時間基準である。
【００３４】
初期プリアンブル送信がＡＩＣＨを介して肯定応答されない場合、ＵＥは、次のプリアンブルがＡＩＣＨ送信タイミングパラメータに依存して少なくとも３又は４アクセススロット後になることを考慮して、許可されるサブチャネルに関連付けられたアクセススロットの中から新しいアクセススロットを選択する。例えばＵＥがサブチャネル０〜３を使用することを許可され且つτp-p,minが３アクセススロットに対応する場合、ＵＥが第１のプリアンブル送信にアクセススロット＃０を選択した場合に可能なプリアンブル再送信はアクセススロット＃３において実行可能である。しかし、ＵＥが第１のプリアンブル送信にアクセススロット＃１を選択した場合、可能なプリアンブル再送信は最早でアクセススロット＃１２において実行可能である。
【００３５】
この３ＧＰＰの限定しない例におけるアップリンク無線リソース管理に関して、３ＧＰＰリリース９９ではＲＮＣがリソース及びユーザ移動性を制御する。このフレームワークにおけるリソース制御は、許可制御、輻輳制御及びチャネル交換（概略的には接続のデータ転送速度の変更）を意味する。更に、専用接続は、ＤＰＣＣＨ（専用物理制御チャネル）及びＤＰＤＣＨ（専用物理データチャネル）として実現される専用チャネルＤＣＨを介して実行される。
【００３６】
拡張３Ｇ規格において、意思決定、特にユーザ接続の短期データ転送速度の制御を分散する傾向がある。その場合、アップリンクデータは、連続するＤＰＣＣＨ、データ制御用のＥ−ＤＰＣＣＨ及びデータ用のＥ−ＤＰＤＣＨの３つ組として実現されるＥ−ＤＣＨに割り当てられる。Ｅ−ＤＰＣＣＨ及びＥ−ＤＰＤＣＨは、送出するアップリンクデータが存在する場合のみ送信される。従って、基地局のアップリンクスケジューラは、各ユーザがＥ−ＤＰＤＣＨを介して使用できるトランスポートフォーマットを判定する。ＲＮＣは、許可制御を依然として担当する。短いデータセッションの場合、ユーザ接続は、完了したランダムアクセス手順の後にデータ通信用のランダムアクセスチャネルの使用を継続してもよい。高速データ転送速度は、近年の拡張ＲＡＣＨを追加することにより同様に可能であり、これによりＥ−ＤＣＨと同様にＲＡＣＨを介する同様のデータ伝送フォーマットが可能になる。
【００３７】
データブロックは、送信時間間隔（ＴＴＩ）の間にＵＥによりアップリンクで基地局に送出される。効率化のため、受信機で受信されたデータブロックはデータを順次処理するＭ個の並行プロセッサにおいて並行処理される。データブロックｉが処理され且つ復号化情報が送信機にフィードバックされる間、受信機はデータブロックｉ、ｉ＋１、．．．、等の処理を開始する。受信機のプロセッサ０は、データブロックを復号化し且つ復号化結果をフィードバックするまでに最近処理したデータに関する情報の再送信又は新しいデータブロックのいずれかを処理する用意ができる。元のデータブロックからの情報及び再送信からの情報の双方を組み合わせることにより、受信時の誤りを訂正できる。誤り訂正及び誤り検出の双方を用いる再送信方式をハイブリッドＡＲＱ（ＨＡＲＱ）と呼ぶ。従って、多くの場合にＭ個のプロセッサはＨＡＲＱプロセスと呼ばれ、各々がＴＴＩに受信したデータブロックを処理する。図７は、Ｍ＝８の場合の並行ＨＡＲＱプロセッサを示す。
【００３８】
ＷＣＤＭＡアップリンクにおいて、カバー範囲と使用可能なピーク速度との間にはトレードオフが存在する。このトレードオフは、通常の専用チャネルより高いビットレートをサポートする拡張アップリンクにおいて更に強調される。アップリンクリソースは、セルが許容できるライズ・オーバ・サーマル（ＲｏＴ）により制限される。ＲｏＴは、カバー範囲要件又は電力制御安定性要件のいずれかにより制限される。１人のユーザのＵＥのみがセル内で接続される場合、アップリンク干渉は当該ＵＥにより生成される電力の影響を多大に受ける可能性が高いため、電力制御安定性及びカバー範囲は重要な問題ではない。そのような場合、高い受信信号対干渉比Ｅｃ／Ｉｏを許容するために高いＲｏＴを許容してもよく、それにより、高いアップリンクビットレートが使用可能になる。その反面、高いアップリンクビットレートを使用するためには、ユーザ接続は高いＥｃ／Ｉｏを提供する必要があり、これは高いＲｏＴを意味する。
【００３９】
同一セル内のユーザ間の干渉をより適切に回避するために、技術はＴＤＭ（時分割多重）方式を使用してユーザデータの送信を時間的に分離する。技術は、特定のＨＡＲＱプロセスに対してのみ有効である有効なＵＥに対してアップリンク送信時間を許可する機能を利用する。再送信が元の送信と同一のＨＡＲＱプロセスを使用するため、ＴＤＭ方式は他のＵＥと干渉しない再送信を更に可能にする。単純な説明として、図８は、無線リソースを共有する２つのＵＥが時間的に分離されるＴＤＭ方式の一例を示す。
【００４０】
背景において説明したように、高ＲｏＴで動作するセルは制限されたカバー範囲のみを提供するため、移動端末がセルのサービスエリアの一部からランダムアクセスを正常に完了することが困難又は不可能になる。ＲＡＣＨプリアンブルがサービスエリアのそれらの部分から送出された場合、それは基地局により検出されない場合がある。ＲＡＣＨプリアンブル検出閾値を低下すると、その多くが熱雑音のみに起因するプリアンブルの誤検出が多発し、その結果、後続のＲＡＣＨメッセージが無駄に送信される。更に、受信されたプリアンブルとＲＡＣＨ取得指示が期待される時間との間の時間が短いことは、プリアンブルが充分な電力レベルで適切に送出されたかを判定するまでの処理時間が非常に制限されることを意味する。
【００４１】
本出願における技術は、共有されるアップリンク無線リソースがセル内の異なるレベルのライズ・オーバ・サーマル（ＲｏＴ）又はアップリンク負荷を考慮して許可されるようにＴＤＭを利用する。ランダムアクセスの性能は、低レベルのＲｏＴ又は低アップリンク負荷の間に向上し、高レベルのＲｏＴ又は高アップリンク負荷に対して低下する。図９は、２つの異なるレベルのＲｏＴに対するアップリンクカバー範囲の一例を示す。
【００４２】
図１０の上部分は、変化するＲｏＴ目標／基地局のアップリンク負荷の一例を示す。図１０の下部分は、３つの有効なＵＥ、すなわちアップリンク送信に対してスケジュールされるＵＥに対して時分割（ＴＤＭ）されたＨＡＲＱプロセスの例が許容精度で取得チャネルＡＩＣＨにより調整される方法を示す。高速アップリンクデータ転送速度での送信を許可するために、ユーザ１及び２はそれぞれＴＴＩ０〜２及び３〜５においてスケジュールされる。ユーザ３は、低速アップリンクデータ転送速度での送信及び低ＲｏＴに対するＴＴＩ６〜７においてスケジュールされる。低ＲｏＴ期間は、ＴＴＩ６〜７に対応する特定のＲＡＣＨサブチャネルと意図的に調整されることが重要である。その結果、一般に、要求しているＵＥに対して許可されるＲＡＣＨサブチャネルは、より良好なＲＡＣＨカバー範囲及び低ＲｏＴを有するものに制限されるのが有利であってもよい。更に、ＲＡＣＨサブチャネルをこのように関連付けることにより、より良好なＲＡＣＨカバー範囲を特定のアクセスサービスクラスに割り当てることができる。
【００４３】
ＵＥのアップリンク送信の調整は正確である必要はないが、図１１の例に示すように、ＵＥに対する送信時間間隔（ＴＴＩ）とＨＡＲＱプロセス番号とを充分な精度で調整することが望ましい。しかし、これは必ずしも必要ではない。基地局は、ＣＦＮ、ＳＦＮ等の何らかのフレーム番号カウンタのような何らかの絶対時間基準に対してＨＡＲＱプロセス番号を追跡するだけでよい。その結果、図１２に示すＨＡＲＱプロセスを調整しない状況も可能である。説明の便宜上、以下において、ＨＡＲＱプロセス番号はＵＥ間で調整されたものとする。図１１及び図１２の双方において、チェック記号はＴＴＩ中の送信を示すために使用され、ダッシュ記号は送信が行われないことを示すために使用される。図１１及び図１２に示すように、ユーザ１及び２は、図１０に示した例に従う高ＲｏＴ２中のＴＴＩにおいてのみ送信する。
【００４４】
特定のＨＡＲＱプロセスに対して有効なＵＥに対する許可を判定する場合、基地局内のスケジューラは特定のＨＡＲＱプロセスに対するＲｏＴ目標値を考慮する。ＨＡＲＱプロセス別ＲｏＴ目標値は事前に判定されてもよく且つ／又は時間にわたり適応されてもよい。この適応は、ＨＡＲＱプロセス別ＲｏＴ目標を判定する基地局内の制御装置により管理される。限定しない一例において、２つのＲｏＴ目標レベル（高レベル及び低レベル）が事前に判定され、制御装置は低いＲｏＴ目標レベルを使用するＨＡＲＱプロセスの数を調整し、残りのＨＡＲＱプロセスは高いＲｏＴ目標レベルを使用する。別の限定しない例において、ＲｏＴ目標レベルは同様に適応され、例えば低いＲｏＴ目標はランダムアクセス性能の統計に基づいて適応されてもよい。適応はＵＥの要望、要求、クラス、状態等に依存してもよい。低いＲｏＴ目標値を有するＨＡＲＱプロセスの数は、ＵＥのアクセス成功確率に関係する。
【００４５】
１つの実現例として、ＨＡＲＱプロセスは、取得チャネル（ＡＩＣＨ）及び／又は図３〜図６に示して上述したようなＲＡＣＨサブチャネルにより調整されてもよい。アップリンクＲＡＣＨアクセススロットのタイミングは、ＡＩＣＨのタイミングに対して定義される。ＡＩＣＨ送信タイミングを与えることにより、ＨＡＲＱプロセス番号及びＲｏＴ目標レベルに対してアップリンクＲＡＣＨアクセススロットを解析できる。その後、他より良好なカバー範囲を有するアップリンクＲＡＣＨアクセススロットが識別される。図１３は、ＡＩＣＨ送信タイミングが０の場合のＨＡＲＱプロセス番号とサブチャネル毎に分離されたＲＡＣＨアップリンクアクセススロットとの間の関係の一例を示す。
【００４６】
低いＲｏＴを有するＨＡＲＱプロセスと対応するＲＡＣＨアップリンクアクセススロットとを関連付けることにおり、他のＲＡＣＨサブチャネルより良好なカバー範囲を有するＲＡＣＨサブチャネルが判定されてもよい。図１３の例に基づいて、図１４は、ＲＡＣＨサブチャネル＃０に対する良好なカバー範囲に対応する１つのＨＡＲＱプロセス内に低ＲｏＴが存在する状況を示す。図１５は、ＲＡＣＨサブチャネル＃０〜２に対する良好なカバー範囲に対応する２つのＨＡＲＱプロセス内に低ＲｏＴが存在する一例を示す。図１６は、ＲＡＣＨサブチャネル＃０〜５に対する良好なカバー範囲に対応する４つのＨＡＲＱプロセス内に低ＲｏＴが存在する一例を示す。ＨＡＲＱプロセスはＭの周期を有し（本明細書中で使用される例において、２ｍｓのＴＴＩを有する拡張アップリンクに対してＭ＝８）、１２個のサブチャネルが存在する。ＭlowＨＡＲＱプロセス（Ｍlow≦Ｍ）が低いＲｏＴ目標レベルを使用する場合、調整が適切である場合にこれは良好なカバー範囲を有するＭlow＊１２／８ＲＡＣＨサブチャネルに対応する。調整が適切ではない場合、特定のサブチャネルに対するタイムスロットの一部は高レベルの干渉を受ける。
【００４７】
低いＲｏＴ目標を有するＨＡＲＱプロセスの数は、高いＲｏＴ目標を有するＨＡＲＱプロセスに対して高ビットレートを提供する必要性と期待されるランダムアクセス負荷との間のトレードオフである。ＲＡＣＨサブチャネルの数が少ない場合、基地局からサービスにアクセスしようとするアクセス中のＵＥ間での衝突のリスクが高まり、それにより全体的なＲＡＣＨアクセスの成功確率が低下する。
【００４８】
図１７は、ランダムアクセスカバー範囲を保証するのと同時に基地局によりサービスを提供される同一サービスエリアにおける高速アップリンクデータ転送速度をサポートする手順の限定しない例を示すフローチャートである。基地局に対するアップリンク送信のために複数の移動無線端末により共有される無線リソースの共有集合が識別される（ステップＳ１）。アップリンク送信は、基地局からサービスへのアクセスに対する要求及び基地局と有効接続するための送信を含む。第１の繰り返し期間及び第２の異なる繰り返し期間が定義される（ステップＳ２）。多くの無線リソースの使用を許可する１つ以上の有効接続に対するアップリンク送信許可を第１の繰り返し期間にスケジュールする（ステップＳ３）。少ない無線リソース、すなわち、多くの無線リソースより少ない無線リソースの使用を許可する１つ以上の有効接続に対するアップリンク送信許可を第２の繰り返し期間にスケジュールする（ステップＳ４）。基地局に対する少なくともいくつかのランダムアクセス要求は、第２の繰り返し期間にのみ発生するように制御される（ステップＳ５）。
【００４９】
この基本的な方法に対して可能である多くの異なる変更及び追加が存在する。例えば、ＲＡＣＨサブチャネルのサブセットのみが十分にカバー範囲内にある場合であっても、より多くの（場合によっては全ての）ＲＡＣＨサブチャネルが許可されてもよい。そのような場合、ＲＡＣＨの受信が成功する確率は、十分にカバー範囲内にある許可されるＲＡＣＨサブチャネルの割合に依存する。いくつかの許可されるサブチャネルが十分にカバー範囲内にあるということは、十分にカバー範囲内にあるＲＡＣＨサブチャネルなしで、動作する場合と比較してランダムアクセスの確率が向上することを意味する。その結果、ＨＡＲＱプロセス等によりランダムアクセスを調整する必要がない。
【００５０】
別の実現例において、基地局は、ＢＣＨにおけるブロードキャスト情報を介して、より良好なカバー範囲を有するＲＡＣＨサブチャネルのみを利用可能であるとＵＥに通知する。
【００５１】
更に別の例において、より良好なカバー範囲を有するＲＡＣＨサブチャネルが特定のアクセスサービスクラスに関連付けられることにより、何らかのサービス／契約／端末のカテゴリ等に対してより良好なＲＡＣＨカバー範囲を提供する。更に、より良好なカバー範囲を有するいくつかのＲＡＣＨサブチャネルは拡張ＲＡＣＨと関連付けられてもよく、データ送信用のＲＡＣＨを同様に介するＥ−ＤＣＨトランスポートフォーマットをほぼ可能にする。
【００５２】
本技術の別の態様は、上述のように時間変動ＲｏＴ目標を付与された基地局による関連するアップリンク負荷制御に関する。時間変動ＲｏＴ目標は、他のＨＡＲＱプロセスより高いビットレートがいくつかのＨＡＲＱプロセスに割り当てられてもよいことを意味する。共有されるアップリンク無線リソースの効率を利用するために、高いＲｏＴ目標に対応するＨＡＲＱプロセスを割り当てられることによりＵＥが得る利益の程度を監視することが有益である。
【００５３】
一実施形態において、特定の能力を有するＵＥ（例えば、ＵＥのカテゴリの特定の集合に属する）は、高ＲｏＴ目標ＨＡＲＱプロセスに割り当てられるＵＥを決定する際に優先されてもよい。あるいは、ＵＥが１つ以上の高ＲｏＴ目標ＨＡＲＱプロセスに割り当てられることにより利益を得るかの判定は、ＵＥにより選択されたトランスポートフォーマットの組み合わせ及びＵＥが「ハッピービット」に従って満足するかに依存してもよい。例えばＵＥが閾値より低いトランスポートフォーマットの組み合わせを選択するがハッピービットの使用により満足すると示す場合、ＵＥの電力は大幅に制限される。これは、ＵＥが高速データ転送速度及び高いＲｏＴを許可される高ＲｏＴ目標ＨＡＲＱプロセスに割り当てられることから利益を得ないということの指示として解釈可能である。
【００５４】
ＵＥからのスケジューリング情報（例えば、バッファ状態、電力余裕等）は、高ＲｏＴ目標ＨＡＲＱプロセスに割り当てられるＵＥを決定する際に使用されてもよい。大量のデータ及び／又は多くの電力余裕を有するＵＥは、ユーザを高ＲｏＴ目標ＨＡＲＱプロセスに割り当てる際に優先される。
【００５５】
追加の別の例として、関連するＲｏＴ目標値を有するＨＡＲＱプロセスは複数のＵＥに対して確保され且つ相当低いレートを割り当てられてもよい。この例において、高いＲｏＴ目標を有するＨＡＲＱプロセスは単一のＵＥに対して確保される。
【００５６】
より良好なカバー範囲を有するＲＡＣＨサブチャネルのランダム選択が使用される場合、アクセスの成功確率はＵＥがより良好なカバー範囲を有するＲＡＣＨサブチャネルを選択する確率に直接関係するため、低いＲｏＴ目標を有するＨＡＲＱプロセスの数のみが問題となる。
【００５７】
図１８は、上述の手順を実現する基地局／ノードＢ４０の一例を示す機能ブロック図である。基地局制御機能は、例えばデータ及びプログラム命令を格納するメモリを有するプログラムコンピュータ、ＤＳＰ、ＰＡＬ又は他の論理回路である論理回路網を使用して実現されてもよい。制御装置４２は、基地局／ノードＢ４０に対する全体的な制御動作を実行する。時間基準５０は、基地局／ノードＢ４０に対するタイミング基準を提供し、無線インタフェースタイミングと同期されるのが好ましい。システムフレーム番号（ＳＦＮ）はタイミング基準の一例である。スケジューラ４６は、スケジューリング、バッファリング及びＨＡＲＱ動作を実行する。ＲＡＣＨ要求ハンドラ４２はＲＡＣＨ要求を処理し、適切な取得信号を生成する。制御装置４２及びスケジューラ４６は別個の機能エンティティとして示されるが、１つのエンティティが双方の機能を実行してもよい。システム及び実現例に依存して、ランダムアクセス構成が無線ネットワーク制御装置（ＲＮＣ）により処理される場合、制御装置４２は当該ＲＮＣにおいて実現されてもよい。ベースバンド及び無線送受信回路網４８は、基地局の範囲内の移動無線端末との無線通信を許可するために基地局に対する必要なベースバンド信号処理及び無線送受信動作を実行する。制御装置４２、ＲＡＣＨ要求ハンドラ４２及びスケジューラ４６は、連係して例えば図１７に示す動作及び上述の他の動作を実行する。また、基地局は、特定の移動端末に対する無線状態に関する測定レポートを検出し且つ／又は受信する。制御装置４２、ＲＡＣＨ要求ハンドラ４２及びスケジューラ４６のうちの１つ以上は、ＲｏＴ目標値又はアップリンク負荷目標値、並びにＲｏＴ目標値又はアップリンク負荷目標値に関連付けられる繰り返し期間を適応／修正してもよい。特定のＲｏＴ目標値又はアップリンク負荷目標値に関連付けられるアップリンク送信時間間隔が更に変更されてもよい。更に、調整の変更は、ＲｏＴ目標値又はアップリンク負荷目標値と有効な移動無線端末に関連するＨＡＲＱプロセスとの間、並びにＨＡＲＱプロセスと取得指示チャネル（ＡＩＣＨ）との間で更に行われてもよい。  
【００５８】
別の限定しない実施形態は、空間的に分散されたアンテナシステムが同一の処理装置に接続されるメイン／リモート概念としても既知である協調マルチポイント通信に関連する。処理装置に接続された全てのセルは、低いＲｏＴ目標値を有するＨＡＲＱプロセス及び許容可能に調整されたＴＴＩを有するＨＡＲＱプロセスを有する。
【００５９】
説明した技術は多くの利点を提供する。第１に、いくつかのＨＡＲＱプロセスに対して低いＲｏＴ目標を有する時間変動ＲｏＴ目標は、高アップリンク負荷におけるランダムアクセスの成功確率を向上する一方で、いくつかのＨＡＲＱプロセスに対して高ビットレートを可能にする。第２に、許容されるサブチャネルを良好なカバー範囲を有するサブチャネルのみに制限することにより、ランダムアクセスの負荷レベルを調節するために少なくとも低いアクセス成功確率を向上する。第３に、十分にカバー範囲内にある利用可能なＲＡＣＨサブチャネルは、ＷＣＤＭＡにおけるランダムアクセスに対するセルブリージングの影響を軽減する。第４に、ランダムアクセスの良好なカバー範囲が選択されたユーザのカテゴリ、サービスクラス等に関連付け可能である。
【００６０】
種々の実施形態を示し且つ詳細に説明したが、特許請求の範囲はいかなる特定の実施形態又は例にも限定されない。上記の説明はいずれも、何らかの特定の要素、ステップ、範囲又は機能が不可欠であり特許請求の範囲の範囲に含まれる必要があることを意味するものとして解釈されるべきではない。特許される対象となる事項の範囲は特許請求の範囲によってのみ定義される。法的保護の範囲は、認められた請求項及びその等価物に記載される用語により定義される。当業者には既知である上述の好適な実施形態の要素の全ての構造的及び機能的等価物は、本明細書中に参考として特に取り入れられ、本特許請求の範囲に含まれることを意図する。更に、本特許請求の範囲に含まれるために、装置又は方法が本発明により解決されると考えられるあらゆる問題に対処する必要はない。用語「手段」又は「ステップ」が使用されない限り、いかなる請求項も米国特許法第１１２条第６項を行使することを意図しない。更に、本明細書におけるいかなる実施形態、特徴、構成要素又はステップも、その実施形態、特徴、構成要素又はステップが特許請求の範囲に記載されているか否かに関わらず、公に供されることを意図しない。
【図１】
0005603944.tif 000003
【図２】
0005603944.tif 000004
【図３】
0005603944.tif 000005
【図４】
0005603944.tif 000006
【図５】
0005603944.tif 000007
【図６】
0005603944.tif 000008
【図７】
0005603944.tif 000009
【図８】
0005603944.tif 000010
【図９】
0005603944.tif 000011
【図１０】
0005603944.tif 000012
【図１１】
0005603944.tif 000013
【図１２】
0005603944.tif 000014
【図１３】
0005603944.tif 000015
【図１４】
0005603944.tif 000016
【図１５】
0005603944.tif 000017
【図１６】
0005603944.tif 000018
【図１７】
0005603944.tif 000019
【図１８】
0005603944.tif 000020